(57)【要約】【課題】鑑賞に適する画像投影を行うためのセッティングを、一般のユーザーが容易かつ迅速に行うことのできるプロジェクタ装置を提供すること。【解決手段】プロジェクタ装置２において、所定のパターン画像を、投影画面２８の長手方向両端に、片端づつ順次投影するパターン画像投影手段２４と、投影された上記パターン画像の反射光を受光する受光手段３６と、上記受光手段３６が出力する電気信号より上記反射光の光量を判定する光量判定手段３８と、上記光量判定手段３８による判定結果より上記投影画面と上記プロジェクタ装置２との相対位置関係を検出し、検出した相対位置関係に基づく表示を行う制御手段４と、を具備することを特徴とするプロジェクタ装置。【選択図】      図８
2006178369.tif 000002
【特許請求の範囲】
【請求項１】
プロジェクタ装置において、
所定のパターン画像を、投影画面の長手方向両端に、片端づつ順次投影するパターン画像投影手段と、
投影された上記パターン画像の反射光を受光する受光手段と、
上記受光手段が出力する電気信号より上記反射光の光量を判定する光量判定手段と、
上記光量判定手段による判定結果より上記投影画面と上記プロジェクタ装置との相対位置関係を検出し、検出した相対位置関係に基づく表示を行う制御手段と、
を具備することを特徴とするプロジェクタ装置。
【請求項２】
上記プロジェクタ装置は、複数の色及び無色透明のフィルタを有し高速で回転する部材である回動式カラーフィルタを含み、
上記受光手段は、特定の波長域の光以外は遮光する遮光部材を含み、
上記回動式カラーフィルタを介して投影される光のうち、上記受光手段は上記遮光部材により該投影による投影画像の反射光のうち、特定の波長域の光のみを検出することを特徴とする請求項１に記載のプロジェクタ装置。
【請求項３】
上記受光手段は、上記プロジェクタ装置を遠隔操作するリモートコントローラ装置による信号を受信する受信部を兼ねることを特徴とする請求項１に記載のプロジェクタ装置。
【請求項４】
上記遮光部材は、可視光を遮光する部材、または特定の波長のみを透過させる部材のうちいずれかであることを特徴とする請求項２に記載のプロジェクタ装置。
【請求項５】
上記制御手段は、上記相対位置関係が投影に不適な位置関係であると判断した場合は、上記プロジェクタ装置を適切な位置関係へ導くための調整方向を更に表示することを特徴とする請求項１乃至請求項３のいずれかに記載のプロジェクタ。
【請求項６】
光源としてランプを用いるプロジェクタ装置であって、
上記プロジェクタ起動時に上記ランプの発光量が安定するまでの間に、ピント調整、及び上記プロジェクタと上記プロジェクタが画像を投影する投影面との相対的位置関係の調整に用いる所定のパターンであるテストパターンを投影するテストパターン投影手段を具備することを特徴とするプロジェクタ装置。
【請求項７】
投影画像の輝度調整機能及び色調調整機能のうち少なくともいずれか１つの機能を備えたプロジェクタ装置であって、
上記輝度調整または上記色調調整を実行するときには、上記輝度調整または上記色調調整に用いる調整用パターン画像を投影することを特徴とするプロジェクタ装置。
【請求項８】
上記色調調整を行うときには、カラーチャートを更に投影することを特徴とする請求項７に記載のプロジェクタ装置。
【請求項９】
入力された画像信号及び音声信号を再生するプロジェクタ装置において、
投影画面の水平方向両端側かつ垂直方向両端側である位置に所定のパターン画像を有するパターン画像記憶手段と、
上記入力された画像信号の再生画像と上記パターン画像記憶手段の出力する上記パターン画像とを合成する画像合成手段と、
を具備し、上記パターン画像を目視することで上記プロジェクタ装置の、投影画像の明るさ調整、ホワイトバランス調整、ピント調整、及び上記プロジェクタ装置と上記プロジェクタ装置が画像を投影する投影面との相対的位置関係の調整を行うことを特徴とするプロジェクタ装置。
【請求項１０】
投影された上記パターン画像の反射光の反射光量を受光する受光手段と、
上記受光手段が出力する電気信号より上記反射光量を判定する光量判定手段と、
上記光量判定手段による判定結果より上記プロジェクタ装置と上記投影面との相対的位置関係を検出し、投影に不適な位置関係であると判断した場合はその旨を表示する制御手段と、
を更に具備することを特徴とする請求項９に記載のプロジェクタ装置。
【請求項１１】
上記プロジェクタ装置は、複数の色及び無色透明のフィルタを有し高速で回転する部材である回動式カラーフィルタを含み、
上記受光手段は、特定の波長域の光以外は遮光する遮光部材を含み、
上記回動式カラーフィルタを介して投影される光のうち、上記受光手段は該投影による投影画像の反射光のうち、特定の波長域の光のみを検出することを特徴とする請求項１０に記載のプロジェクタ装置。
【発明の詳細な説明】
【技術分野】
【０００１】
本発明は、プロジェクタ装置に関し、特に鑑賞に適する画像投影を行うためのセッティングを容易にする技術を搭載したプロジェクタ装置に関する。
【背景技術】
【０００２】
現在、プロジェクタと呼ばれる投射型の画像再生機器が普及している。プロジェクタは、スクリーンの背面（ユーザーの鑑賞する面の裏面）から画像を投射するリアプロジェクタと、プロジェクタに対向したスクリーンに画像を投射するフロントプロジェクタとの２種類に大きく分類される。
【０００３】
一般に、リアプロジェクタは、画像を投射するスクリーンとプロジェクタとが一体化され、テレビジョン受像機の形状を採るものが多いため、携行性が優れているとは言いがたい。一方、フロントプロジェクタは、小型化することが可能であり、したがって携行性の優れたモバイルプロジェクタの可能性を有するプロジェクタとして注目されている。このモバイルプロジェクタによれば、所望の場所において、所望の大画面による画像鑑賞を楽しむことができる。しかしながら、モバイルプロジェクタに関しては、画像投影を行うためのセッティングをいかに簡略化するかが課題の１つであった。プロジェクタによる画像投影を行うためのセッティングに関する技術として、以下のものが知られている。
【０００４】
従来、液晶プロジェクタのホワイトバランス調整やγ調整を行うための信号発生器を持ち歩くことなく、効率よく上記調整が行えるようにした映像投射装置及びその調整方法が提案されている。
【０００５】
例えば後述する特許文献１には、映像投射装置のホワイトバランス調整やγ調整に必要なテストパターンを、調整を行うべき映像投射装置の表示画面に表示する。このため、作業者は調整に必要な信号発生器を用意する必要が無く、映像投射装置の表示画面を直接目視確認しながら調整を行うことができ、映像投射装置の調整を正確かつ短時間で効率的に行うことが可能となる。
【０００６】
また、簡単にピント調整して画像投影のセッティングを行うプロジェクタとして、後述する特許文献２に以下のような技術が開示されている。
【０００７】
この技術では、投影レンズの操作状態を検出するレンズ状態検出手段と、該レンズ状態検出手段の出力に基づいて、画像を投影するスクリーンに所定のフォーカスパターンを表示させるような制御を行うフォーカスパターン表示制御手段とをフロントプロジェクタに設ける。これにより、ピントリングを少しでも回転させると、ピント調整のためのフォーカスパターンが自動的に表示される。したがって、画面のピントを合わせるとき、単にピントリングを操作するのみでよく、頻度の高いピント調整を簡略化して行うことができる。
【０００８】
また、オートフォーカス手段によるピント調整時に、スクリーンにピント合わせに適した画像を表示させ、ピント合わせを正確に行うことができるピント調整機能を有するプロジェクタとして、後述する特許文献３に以下のような技術が開示されている。
【０００９】
この技術では、所定パターンを有する画像を記憶する記憶手段と、画像をスクリーンに投影する投影手段と、センサによって受光した画像信号を基に、上記投影手段のピント調整を自動的に行うパッシブオートフォーカス手段と、前記オートフォーカス手段によるピント調整時に前記記憶手段から所定パターンを読み出して投影する制御手段とを具備させる。これにより、オートフォーカス手段によるピント調整時にあらかじめ用意された所定パターンを有する画像をスクリーンに投影することで、パッシブオートフォーカス手段を用いてもピント合わせを正確に行うことができる。
【特許文献１】特開平１０−１３３１６３号公報
【特許文献２】特開平６−３１３８４３号公報
【特許文献３】特許第３１２０５２６号
【発明の開示】
【発明が解決しようとする課題】
【００１０】
しかしながら、上記特許文献１に開示された技術では、映像投射装置のホワイトバランス調整やγ調整を、該調整に必要な信号発生器を用いることなく、正確かつ短時間に行うことができるのだが、実際の画像投影時のスクリーンと映像投射装置との位置関係を調整するセッティング方法に関しては提案されていない。
【００１１】
また、上記特許文献２に開示された技術においては、頻度の高いピント調整の操作を簡略化できるプロジェクタを提供することができるのだが、画像を投影するスクリーンとプロジェクタとの位置関係を調整するセッティング方法に関しては提案されていない。
【００１２】
さらに、上記特許文献３に開示された技術においては、ピント合わせを正確に行うことができるピント調整機能を有するプロジェクタを提供することができるが、ピント調整時に、特定の投影パターンを有する画像をスクリーンに投影するために、画像鑑賞中であれば、画像投影を一時中断しなければならない。また、スクリーンとプロジェクタとの位置関係を調整するセッティング方法に関しては提案されていない。
【００１３】
本発明は、上記事情に鑑みてなされたもので、鑑賞に適する画像投影を行うためのセッティング、例えば投影画像の明るさ調整、ホワイトバランス調整やγ調整、ピント調整、及びプロジェクタ装置とプロジェクタ装置が画像を投影する投影面との相対的位置関係の調整を、一般のユーザーが容易かつ迅速に行うことのできるプロジェクタ装置を提供することを目的とする。
【課題を解決するための手段】
【００１４】
上記の目的を達成するために、本発明の第１の態様は、プロジェクタ装置において、所定のパターン画像を、投影画面の長手方向両端に、片端づつ順次投影するパターン画像投影手段と、投影された上記パターン画像の反射光を受光する受光手段と、上記受光手段が出力する電気信号より上記反射光の光量を判定する光量判定手段と、上記光量判定手段による判定結果より上記投影画面と上記プロジェクタ装置との相対位置関係を検出し、検出した相対位置関係に基づく表示を行う制御手段と、を具備することを特徴とする。
【００１５】
上記の目的を達成するために、本発明の第２の態様によるプロジェクタ装置は、光源としてランプを用いるプロジェクタ装置であって、上記プロジェクタ起動時に上記ランプの発光量が安定するまでの間に、ピント調整、及び上記プロジェクタと上記プロジェクタが画像を投影する投影面との相対的位置関係の調整に用いる所定のパターンであるテストパターンを投影するテストパターン投影手段を具備することを特徴とする。
【００１６】
上記の目的を達成するために、本発明の第３の態様によるプロジェクタ装置は、投影画像の輝度調整機能及び色調調整機能のうち少なくともいずれか１つの機能を備えたプロジェクタ装置であって、上記輝度調整または上記色調調整を実行するときには、上記輝度調整または上記色調調整に用いる調整用パターン画像を投影することを特徴とする。
【００１７】
上記の目的を達成するために、本発明の第４の態様によるプロジェクタ装置は、入力された画像信号及び音声信号を再生するプロジェクタ装置において、投影画面の水平方向両端側かつ垂直方向両端側である位置に所定のパターン画像を有するパターン画像記憶手段と、上記入力された画像信号の再生画像と上記パターン画像記憶手段の出力する上記パターン画像とを合成する画像合成手段とを具備し、上記パターン画像を目視することで上記プロジェクタ装置の、投影画像の明るさ調整、ホワイトバランス調整、ピント調整、及び上記プロジェクタ装置と上記プロジェクタ装置が画像を投影する投影面との相対的位置関係の調整を行うことを特徴とする。
【発明の効果】
【００１８】
本発明によれば、鑑賞に適する画像投影を行うためのセッティング、例えば投影画像の明るさ調整、ホワイトバランス調整やγ調整、ピント調整、及びプロジェクタ装置とプロジェクタ装置が画像を投影する投影面との相対的位置関係調整を、一般のユーザーが容易かつ迅速に行うことのできるプロジェクタ装置を提供することができる。
【発明を実施するための最良の形態】
【００１９】
［第１実施形態］
以下、図面を参照して本発明の第１実施形態を説明する。
【００２０】
図１は、本発明の第１実施形態に係るプロジェクタ装置の構成を示したブロック図である。以下、図１を用いて、本発明の第１実施形態に係るプロジェクタ装置の構成を説明する。
【００２１】
まず、同図の一点鎖線で囲まれた部分がプロジェクタ２である。該プロジェクタ２の動作制御を司る手段として、演算制御回路部（ＣＰＵ）４が設けられている。また、該演算制御回路部（ＣＰＵ）４にはスイッチ６が接続され、ユーザーは、該スイッチ６を用いてプロジェクタ２を操作することができる。
【００２２】
本実施形態に係るプロジェクタの光源としては、ランプ８ａとリフレクタ８ｂとからなる光源部８が設けられている。上記ランプ８ａは、発光回路１０により発光の動作が行われる。
【００２３】
上記光源部８による光は、まず回動式カラーフィルタ１２へ入射する。なお、回動式カラーフィルタ１２は、ＲＧＢ（赤緑青）のカラーフィルタ及びホワイト（Ｗ）フィルタからなり、高速で回転する部材である。上記光源部８からの光がこの回動式カラーフィルタの各色カラーフィルタ部を通過すると、白色光成分のうちの特定の周波数成分の光が吸収され、さまざまな色の光となる。上記回動式カラーフィルタ１２において、上記光源部８からの光は、それぞれの瞬間においては、上記ＲＧＢのカラーフィルタのうち、いずれかしか通過しない。しかしながら、高速で色を重ねていくことにより、鑑賞者の目には正しく彩色された画像を見せることができる。
【００２４】
上記光源部８による光は、上述の回動式カラーフィルタ１２を通過すると、レンズ及びミラーからなる照明光学系１４を介して、画像形成手段１６に入射する。本実施形態に係るプロジェクタにおいては、上記画像形成手段１６として、デジタルミラーデバイス（Ｄｉｇｉｔａｌ  Ｍｉｒｒｏｒ  Ｄｅｖｉｃｅ  ；以降、ＤＭＤと称す）を用いる。以下、ＤＭＤについて説明する。
【００２５】
ＤＭＤとは、解像度分の微小ミラー（以下、画素ミラーと称する）を多数デバイス上に並べ、それを静電引力によって例えば＋１０度、あるいは−１０度に傾けられる構造の素子である。そして、一方をＯＮポジション、他方をＯＦＦポジションとして、このＯＮのポジションあるいはＯＦＦのポジションのときの光の反射の仕方によって、０または１というような、光でのスイッチング動作を持たせている。つまり、画素ミラーは、ＯＮポジションにおいて、光源から入射してきた光線の方向を投影レンズの方向に向けたり、ＯＦＦポジションにおいて投影レンズと異なる方向に偏向させたりできるように構成されている。これら画素ミラーは、画素制御をする回路によって、表示データに応じて個別に制御される。各画素を構成する個々の微小ミラーの傾き制御の頻度を制御することで明るさを制御できる。すなわち、ある一定時間内に何度も投影レンズ側に光を反射した画素は明るくなり、逆に反射回数を減少させた画素は暗くなる。
【００２６】
本実施形態では、画像形成手段１６として、上述のような動作原理であるＤＭＤを用い、投影レンズ１８に画像を導く場合と導かない場合とを制御し、像を形成する各画素の明暗を切り換える。このとき、上記回動式カラーフィルタ１２により、ＲＧＢの各原色の光が照射されてくるので、各画素の明暗は各原色の混合比率の大小となり、結果的にカラー投影像として投影されることになる。そのためには、もちろん、上記回動式カラーフィルタ１２の回転位置（カラーフィルタの色）の制御と、画像形成手段１６の制御とを同期させる必要がある。なお、上記投影レンズ１８は、ピント調整機能を有する。
【００２７】
なお、上記画像形成手段（本実施形態ではＤＭＤ；以下同様）１６は、画像合成手段２０の出力が入力される画像形成回路２２の制御により、上述のＤＭＤの動作原理で投影画像の形成を行う。なお、上記画像合成手段２０においては、演算制御回路部（ＣＰＵ）４が選択するパターン画像メモリ部２４のパターン像と、外部から入力された画像データとを合成する。
【００２８】
ここで、図中参照番号２６は、プロジェクタ２により投影される画像の領域を表す投影画像範囲である。同図に示すように、画像形成手段１６の幅（長手方向の長さ）をｘ、投影レンズ１８の焦点距離をｆ、投影レンズ１８とスクリーン２８との間の距離をＬ（図２参照）とすると、投影画像の横幅Ｗは、
Ｗ＝Ｌ・ｘ／ｆ  …（式１）
と表される。
【００２９】
以下、図面を用いて、本発明の特徴である、スクリーンとプロジェクタとの位置関係の調整方法について説明する。
【００３０】
図３（ａ）は、スクリーン２８と投影レンズ１８の光軸１８ａとが垂直に交わる位置関係で、プロジェクタ２が設置されている場合の、該プロジェクタ２による画像投影の状況を表す図である。上記スクリーン２８と上記投影レンズ１８の光軸１８ａとが、互いに垂直に交わっている場合には、プロジェクタ２による投影画像範囲２６は、スクリーン２８上において、図３（ｂ）に示すように略長方形の形状となる。このとき、写真、映画及びプレゼンテーション画面等である投影画像を、歪み無く投影することができる。
【００３１】
一方、図４（ａ）は、スクリーン２８と投影レンズ１８の光軸１８ａとが、垂直に交わっていない場合の投影状況を表す図である。スクリーン２８と投影レンズ１８の光軸１８ａとが互いに垂直に交わっていない場合には、投影画像範囲２６は、スクリーン上において、図４（ｂ）に示すように、略台形の形状となる。このとき、投影画像は歪んでしまう。
【００３２】
従来、よく利用されていた大型の据え置き型プロジェクタでは、投影の度に移動して設置されるような機会はあまりなく、投影のための準備としては、プロジェクタの上下方向の高さ調整をすること位であった。しかし、モバイル型プロジェクタにおいては、投影の度に移動して設置される機会が多く生じると考えられる。したがって、ユーザーが独力で容易にプロジェクタの設置調整ができなければ、上述したような歪んだ投影画像による鑑賞となってしまう。
【００３３】
ここで、例えば図５（ａ）に示すように、ユーザー３０がプロジェクタ２を１人で設置しなければならない状況を考える。例えば、同図に示すように、机３２上にプロジェクタ２を設置する場合、プロジェクタの上下方向の調整は容易にできても、水平方向（スクリーンとの対向関係）の設置位置調整は、ユーザー３０にとって容易ではない。
【００３４】
この水平方向（スクリーンとの対向関係）の設置位置調整のときに、スクリーン（画像投影可能な壁でも勿論よい；以下のスクリーンについても同様）２８に対し、設置位置調整を失敗すると、例えば図４（ａ），（ｂ）に示すように、また図５（ａ）に示す投影画像範囲２６ａ，２６ｂのように、投影画像範囲２６が略台形の形状となってしまう。つまり、歪みのある投影画像となってしまう。
【００３５】
ここで、例えば図５（ｂ）に示すようにユーザー３０が、スクリーン２８に対して正面に位置し、更にスクリーン２８に対して正対している場合は、そうでない場合よりも設置位置調整を比較的やりやすい。一方、ユーザー３０がスクリーン２８に対して正面に位置せず、しかもスクリーン２８に対して正対もしていない場合は、設置位置調整が困難である。
【００３６】
例えば、図５（ｃ）に示すように、ユーザー３０が図５（ａ）に示す場合と同様にプロジェクタ２を設置する机の横に立ち、プロジェクタ２の設置位置調整を行う場合は、投影画像の形状を確認する他なかった。投影画像の形状の判定にしても、投影画像が正確に長方形となっているか否かを判定することは、容易ではなかった。
【００３７】
本発明は、このような事情に鑑みてなされたもので、以下に示す方法を採ることで、プロジェクタ２の設置位置調整を容易にする。以下、図面を用いて、本実施形態に係るプロジェクタ装置における設置位置調整の原理及び方法を説明する。
【００３８】
まず、図６（ａ）に示すように、プロジェクタによる投影画面の四隅に、コントラストが明確に分かるような白黒のパターンを投射する。
【００３９】
このときに、これら四隅の白黒パターンのコントラストが均等に見えるならば、プロジェクタ２は、図２（ａ）に示すように、スクリーン２８に対してほぼ正確に対向していると判断できる。つまり、この場合、左右両方の白黒パターンが、ピントが合う状態となっているので、白黒パターンのコントラストが均等になる。さらに、このとき、投影画面の中央部にプロジェクタの設置状態の表示を行うことにより、設置位置調整中であることをユーザーに知らせるため、ユーザーの混乱を招くことなく、画像投影を続けることができる。
【００４０】
一方、白黒パターンが左右で異なる場合は、プロジェクタ２は、図４（ａ）に示すように、スクリーン２８に対向しているとは言えない設置となっていると判断できる。この場合、投影画面の左端部から投影レンズまでの距離Ｌ１と、投影画面の右端部から投影レンズまでの距離Ｌ２とが異なるために、一方にはピントが合って、他方にはピントが合わない、または両方共がピントが合っていないという状態となってしまう。つまり、この場合、左右の白黒パターンの両方か、またはどちらか一方が、ピントが合う状態となっていないので、白黒パターンのコントラストが均等にはならない。
【００４１】
上述のように、プロジェクタの設置に際し、所定のパターンをスクリーンに投影し、ユーザーが、それら所定のパターンのコントラストを確認することにより、水平方向（スクリーンとの対向関係）のプロジェクタの設置位置調整をすることが可能となる。しかも、このときのユーザーの位置は、従来のようにスクリーンの正面に正確に対向した位置である必要はない。したがって、一般のユーザーが、容易にプロジェクタの設置位置調整を行うことができる。つまり、プロジェクタによる投影画像の形状を確認するという、煩雑な手続きを踏まずに、より容易な目視による確認を通して、プロジェクタの設置位置調整を行うことができる。
【００４２】
以下、図７に示すフローチャートを用いて、本実施形態に係るプロジェクタの動作制御を説明する。
【００４３】
まず、Ｓ１において、演算制御回路部（ＣＰＵ）４が、ユーザーによるスイッチ６を用いたランプ点灯開始動作が行われたか否かを判断する。なお、該ランプ点灯開始動作は、スイッチ６を用いて行うだけでなく、プロジェクタ２にセンサ部を更に設け、リモートコントローラを用いた遠隔操作によるランプ点灯開始動作を可能とする構成を採っても勿論よい。
【００４４】
上記Ｓ１において、演算制御回路部（ＣＰＵ）４が、ユーザーによるランプ点灯開始動作が行われていないと判断した場合は、Ｎ分岐して再びＳ１へ戻る。すなわち、ユーザーによるランプ点灯開始動作が行われるまで、Ｓ２以降のステップには進まない。
【００４５】
一方、上記Ｓ１において、演算制御回路部（ＣＰＵ）４が、ユーザーによるランプ点灯開始動作が行われたと判断した場合は、Ｙ分岐してＳ２へ進む。Ｓ２は、ランプ点灯制御を行うステップである。このステップでは、演算制御回路部（ＣＰＵ）４が、発光回路１０を介して、上記ランプ８ａの発光制御を行う。
【００４６】
続くＳ３は、プロジェクタ２の設置位置調整を行うための調整用パターンを投影画面に表示するステップである。このとき、単に調整用パターンのみを表示するのではなく、例えば図６（ａ）に示すような表示を行う。つまり、投影画面中央部に、現在ランプ光量の安定を待っているという旨の表示を行う。これにより、ユーザーは、このときの投影画面が本来の画像再生の画面ではないことを認識できるので、無用の混乱を防ぐことができる。
【００４７】
なお、このとき、図５（ａ）に示すように、ユーザーはプロジェクタ２をセッティングしている状況である。つまり、ユーザーは、投影画面の調整用パターンを見る状況となっている。したがって、このとき、ユーザーは、投影画面に表示される調整用パターンを用いて、投影レンズ１８のピント合わせや、プロジェクタ２とスクリーン２８との位置関係（対向関係）の調整を行うことができる。
【００４８】
具体的には、ピントの調整は、画面中央のパターンのコントラストを見て行う。また、プロジェクタ２とスクリーン２８との位置関係（プロジェクタ２の向き）の調整は、投影画面の四隅に表示される調整用パターンを見て、これらが均一になるように調整を行う。なお、上述のように、本実施形態に係る設置位置の調整はユーザーの目視と手動で行うことを前提にしているが、コストをかけても構わない商品であれば、回転アクチュエータ等をプロジェクタ２に更に具備させることにより、上述の調整を自動化しても勿論よい。
【００４９】
上記Ｓ３からは、Ｓ４へ進む。Ｓ４は、上記ランプ８ａの光量が安定したか否かを演算制御回路部（ＣＰＵ）４が判定するステップである。なお、本実施形態では、一般にプロジェクタに利用されているランプである高圧水銀ランプを、光源として用いる。高圧水銀ランプは、強い光を発する光源であるが、その発する光の光量が安定するまでに多少時間がかかる。したがって、Ｓ４においてランプの光量が安定したと判定されるまでには、ある程度の時間がかかる場合がある。本実施形態では、この時間を有効利用する。
【００５０】
すなわち、Ｓ４において、まだ上記ランプ８ａの光量が安定したと判定されない場合は、Ｎ分岐して上記Ｓ３に戻る。このように、本実施形態に係るプロジェクタでは、上記ランプ８ａの光量が安定するまでの時間を有効に活用し、上述したＳ３における各種調整を行う動作制御を採る。
【００５１】
上記Ｓ４にて、光源部８の有するランプの光量が安定したと判定されると、Ｓ５へ進む。Ｓ５では、演算制御回路部（ＣＰＵ）４が、画像形成回路２２を制御して画像形成手段１６上に投影する画像を形成し、また発光回路１０を制御して光源部８の発光制御を行うことで、光源部８による光を回動式カラーフィルタ１２及び照明光学系１４を介して、上記画像形成手段１６に入射させた後投影レンズ１８を介してスクリーン２８へ、プロジェクタ２への入力信号である画像データを投影する。
【００５２】
続くＳ６では、ユーザーが、プロジェクタのセッティング全般を調整する一般調整モードへ切り換えるか否かの選択を行う。該選択は、ユーザーによるスイッチ６の操作により行い、演算制御回路部（ＣＰＵ）４が該操作を判断し、該判断に従った動作制御を行う。なお、ユーザーによる操作は、スイッチ６を用いるだけでなく、プロジェクタ２に、リモートコントローラによる操作信号を受信するセンサ部を更に設け、リモートコントローラによる遠隔操作を可能とする構成を採っても勿論よい。
【００５３】
なお、上記一般調整モードとは、具体的には、投影画像の明るさ調整、ホワイトバランス調整やγ調整、台形補正のような電気的補正、上記Ｓ３における調整であるピント調整、及びスクリーンとプロジェクタとの位置関係調整を行うモードである。
【００５４】
上記Ｓ６において、演算制御回路部（ＣＰＵ）４が、ユーザーにより一般調整モードへ切り換える選択がなされたと判断した場合は、Ｙ分岐してＳ７へ進む。Ｓ７は、プロジェクタ２への入力信号である画像データに、上記調整用パターンを合成して投影するステップである。ここでは、演算制御回路部（ＣＰＵ）４が、パターン画像メモリ部２４を制御して調整用パターンを画像合成手段２０に出力し、画像合成手段２０において、画像データと調整用パターンとの合成を行い、その合成画像をスクリーン２８に投影する。なお、このとき例えば図６（ａ）に示すように、投影画面中央に一般調整モードであることを知らせるための表示をすることで、表示画面に関するユーザーの無用な混乱を招くことを防ぐ。
【００５５】
一方、上記Ｓ６にて、演算制御回路部（ＣＰＵ）４が、ユーザーによる一般調整モードへの切り換え操作が行われていないと判断した場合は、Ｎ分岐してＳ８へ進む。
【００５６】
上記Ｓ６からのＮ分岐及び上記Ｓ７からは、Ｓ８へ進む。Ｓ８は、演算制御回路部（ＣＰＵ）４が、ユーザーによるスイッチ６の操作で、画質調整として投影画像の色のバランス調整（ＲＧＢ各色のγ調整等）を行う選択が行われたか否かを判断するステップである。なお、ここでのユーザーによる操作手段としては、上記スイッチ６の他に、プロジェクタ２に、リモートコントローラによる信号を受信するセンサ部を更に設けることにより、リモートコントローラによる遠隔操作を行うことを可能とする構成を採っても勿論よい。
【００５７】
上記Ｓ８にて、演算制御回路部（ＣＰＵ）４が、投影画像の色のバランス調整（ＲＧＢ各色のγ調整等）を行う選択がなされたと判断した場合は、Ｙ分岐してＳ９へ進む。Ｓ９では、演算制御回路部（ＣＰＵ）４が、パターン画像メモリ部２４を制御して投影画像の色のバランス調整用のカラーチャートを画像合成手段２０に出力し、画像合成手段２０において、投影画像の色のバランス調整用のカラーチャートと画像データとの合成を行い、その合成画像をスクリーン２８に投影する。ここでは、例えば図６（ｂ）に示すように、画面中央部に、そのときの調整内容を示す表示及び調整用カラーチャートの表示を行い、同時にプロジェクタ２への入力信号である画像データと合成して表示をする。なお、ここでは、合成後の投影画面が煩雑な画面表示とならないように両者を合成する。ユーザーは、投影画像を目視しながら、同時に上記調整用カラーチャートを用いて投影画像の色のバランス調整を行うことができる。
【００５８】
上記Ｓ８においてＮ分岐した場合、及び上記Ｓ９を経た後は、Ｓ１１へ進む。Ｓ１１は、演算制御回路部（ＣＰＵ）４が、ユーザーによる投影終了操作が行われたか否かを判断するステップである。ここで、演算制御回路部（ＣＰＵ）４が、ユーザーによる投影終了操作が行われたと判断した場合は、Ｙ分岐してＳ１２へ進む。Ｓ１２は、演算制御回路部（ＣＰＵ）４が、発光回路１０を介して、ランプ８ａを消灯制御するステップである。Ｓ１２でのランプ消灯制御により、投影動作は終了する。なお、上記Ｓ１１において、演算制御回路部（ＣＰＵ）４が、ユーザーによる投影終了操作が行われていないと判断した場合は、Ｎ分岐してＳ５へ戻り投影動作を続行する。
【００５９】
以上説明したように、本発明の第１実施形態によれば、プロジェクタのセッティングに関し、特にスクリーンとプロジェクタとの位置関係（対向関係）の調整を、一般のユーザーが容易に行うことができるプロジェクタを提供することができる。また、投影時のピント調整及び投影画像の色調整等のその他の調整操作一般に関しても、調整用チャート及び調整用パターンを、本来の再生画像と合成して投影画面に表示することにより、ユーザーは目視確認しながら、効率的に上記調整操作一般を行うことができる。さらに、本実施形態に係るプロジェクタの各種調整を行っているときには、調整中である旨を投影画面に表示するため、ユーザーの無用な混乱を招くことがない。
【００６０】
以上、本発明の実施形態について説明したが、本発明は上述した実施形態以外にも、本発明の要旨を逸脱しない範囲で種々の変形実施が可能なことは勿論である。
【００６１】
［第２実施形態］
次に、本発明の第２実施形態に係るプロジェクタについて説明する。
【００６２】
本実施形態に係るプロジェクタの構成を図８に示す。本実施形態に係るプロジェクタは、第１実施形態に係るプロジェクタの構成に加え、可視光カットフィルタ付きレンズ３４、受光素子３６及び光量検出回路３８を更に有する。
【００６３】
以下、本実施形態に係るプロジェクタにおける、スクリーンとプロジェクタとの位置関係（対向関係）の調整の原理を、図面を用いて説明する。
【００６４】
まず、図３（ａ），図４（ａ）に示すように、投影画面左端部から投影レンズ１８までの距離をＬ１、投影画面右端部から投影レンズ１８までの距離をＬ２とすると、図４（ａ）に示すように、距離Ｌ１の値と距離Ｌ２の値との差を、スクリーンからの反射光の光量を判定することで検出する。この検出においては、反射光の光量は、スクリーンからプロジェクタまでの距離の２乗に反比例することを利用する。言い換えれば、スクリーンからプロジェクタまでの距離が大きくなるほど、その地点での反射光の光量は減少することを利用する。
【００６５】
これにより、投影画面の左端部から投影レンズまでの距離Ｌ１と、投影画面の右端部から投影レンズまでの距離Ｌ２との差を検出でき、スクリーンとプロジェクタとの位置関係を正確に対向するように調整できる。なお、このとき、スクリーンからの反射光の光量を正確に検出するためには、プロジェクタを使用している周囲の光に影響を受けずに、スクリーンからの反射光のみを正確に光量判定できなければならない。この正確な光量判定を、本実施形態に係るプロジェクタでは、以下のようにして可能とした。
【００６６】
まず、図９に示すように、上記回動式カラーフィルタ１２に無色透明ガラス部を設ける。これにより、上記ランプ８ａの発する光が、上記無色透明ガラス部を通るときには、赤外光を透過させるので、スクリーンに赤外光を投射することができる。なお、上記光源部８の光は、上記回動式カラーフィルタ１２のＲＧＢの各カラーフィルタを通ると、各カラーフィルタの色以外の波長の光は各カラーフィルタに吸収されてしまうため、赤外光を投射することは勿論できない。
【００６７】
このようにして赤外光を投射するとき、該赤外光は、図１０のグラフに示すようなパルス光となる。このようにして発生させた赤外光であるパルス光の変化成分を判定することにより、定常的に存在するプロジェクタの周囲光の影響を受けずに、スクリーンによる反射光のみを正確に光量判定することができる。
【００６８】
上述の原理によるスクリーンとプロジェクタとの位置調整を行うために、本実施形態に係るプロジェクタにおける各構成要素は以下に示す役割を担う。以下、図８を用いて、本実施形態に係るプロジェクタに特有の構成部分を説明する。なお、本実施形態に係るプロジェクタの特徴部分を浮き立たせる為に、第１実施形態に係るプロジェクタと同一の構成要素については、省略して説明する。
【００６９】
まず、演算制御回路部（ＣＰＵ）４が、発光回路１０を介してランプ８ａの発光制御を行うと同時に、回動式カラーフィルタ１２及び照明光学系を制御し、投影画面内の所定位置（本実施形態では、図１１に示すように投影画面の左右）に、順次白色パターンをスクリーン２８に表示させる。
【００７０】
スクリーン２８に投射された上記白色パターンの反射光を、受光レンズである上記可視光カットフィルタ付きレンズ３４にて集光し、上記受光素子３６にて受光する。上記受光素子３６では、受光した光信号を電気信号に変換し、上記光量検出回路３８（図１２参照）に出力する。そして、演算制御回路部（ＣＰＵ）４が、上記光量検出回路３８の出力より、スクリーンの白色パターンからの反射光の光量を判定する。
【００７１】
ここで、上記光量検出回路３８の構成及び動作について、図１２を用いて説明する。なお、図１２において、破線で囲まれた部分が光量検出回路３８を示している。まず、上述したように上記白色パターンの反射光は、可視光カットフィルタ付きレンズ３４にて集光し、受光素子３６によって受光及び電気信号への変換が行われた後、破線内に示される光量検出回路３８へ出力される。以下、図１２を用いて光量検出回路３８の構成及び動作について説明する。
【００７２】
上記受光素子３６により出力された光電流である電流信号は、まず、抵抗３７及びコンデンサ４０からなるハイパスフィルタにより、ノイズが乗り易い成分である低周波成分がカットされる。その後、アンプ４２及びトランジスタ４４により増幅され、さらに抵抗４６により電圧信号に変換される。最後に、該電圧信号は、Ａ／Ｄ変換手段４８によりデジタル信号化され、上記演算制御回路部（ＣＰＵ）４に出力される。
【００７３】
以下、本実施形態に係るプロジェクタの動作制御のうち、本実施形態に係るプロジェクタに特有の動作制御である調整モードに関する動作制御について、図１３に示すフローチャートを用いて説明する。なお、本実施形態に係るプロジェクタの動作制御は、上述した第１実施形態の動作制御に、本実施形態に特有の動作制御である調整モードを付加したものである。したがって、ここでは、本実施形態に特有の動作制御についてのみ説明し、上述した第１実施形態に係るプロジェクタと同一の動作制御については、説明を省略する。
【００７４】
まず、Ｓ２１において、演算制御回路部（ＣＰＵ）４が、ランプ８ａの光量が安定したか否かを判定する。ここで、演算制御回路部（ＣＰＵ）４が、光源部８の有するランプの光量が安定したと判定した場合は、Ｙ分岐してＳ２２へ進む。
【００７５】
Ｓ２２は、図１３（ａ）に示すように投影画面左部に白色パターンを表示させ、さらに該白色パターンからの反射光量を計測するステップである。以下、投影画面左部に表示する白色パターンからの反射光量をＰＬと呼称する。本ステップでは、演算制御回路部（ＣＰＵ）４が、発光回路１０を介してランプ８ａの発光制御を行うと同時に、回動式カラーフィルタ１２及び照明光学系１４を制御し、投影画面内の左部に白色パターンを表示させる。さらに、スクリーン２８に投射された上記白色パターンの反射光を、受光レンズである上記可視光カットフィルタ付きレンズ３４にて集光し、上記受光素子３６にて受光する。上記受光素子３６では、受光した光信号を電気信号に変換し、上記光量検出回路３８（図１２参照）に出力する。そして、演算制御回路部（ＣＰＵ）４が、上記光量検出回路３８の出力より、スクリーンの白色パターンからの反射光の光量を判定する。
【００７６】
続くＳ２３は、図１１（ｂ）に示すように投影画面右部に白色パターンを表示させ、さらに該白色パターンからの反射光量を計測するステップである。以下、投影画面右部に表示する白色パターンからの反射光量をＰＲと呼称する。本ステップでは、演算制御回路部（ＣＰＵ）４が、発光回路１０を介してランプ８ａの発光制御を行うと同時に、回動式カラーフィルタ１２及び照明光学系１４を制御し、投影画面内の右部に白色パターンを表示させる。さらに、スクリーン２８に投射された上記白色パターンの反射光を、受光レンズである上記可視光カットフィルタ付きレンズ３４にて集光し、上記受光素子３６にて受光する。上記受光素子３６では、受光した光信号を電気信号に変換し、上記光量検出回路３８（図１２参照）に出力する。そして、演算制御回路部（ＣＰＵ）４が、上記光量検出回路３８の出力より、スクリーンの白色パターンからの反射光の光量を判定する。
【００７７】
また、上記Ｓ２１において、演算制御回路部（ＣＰＵ）４が、上記光源部８の有するランプ光量が安定していないと判定した場合は、Ｎ分岐してＳ２４へ進む。Ｓ２４及びＳ２５は、それぞれ上記Ｓ２２及びＳ２３と同様の動作制御を行うステップである。つまり、Ｓ２４では、投影画面右部への白色パターン表示及び該白色パターンからの反射光量計測を行い、Ｓ２５では、投影画面右部への白色パターン表示及び該白色パターンからの反射光量計測を行う。
【００７８】
続くＳ２６乃至Ｓ２７は、上記光源部８の有するランプ光量が安定していない場合に特有の動作制御である。つまり、Ｓ２６及びＳ２７における動作制御により、ランプ光量の変動の影響を最小限に抑えたＰＬ及びＰＲの計測を行うことが可能となる。
【００７９】
まず、Ｓ２６では、所望の値である規定回数以上のＰＬ及びＰＲの計測が行われたか否かを、演算制御回路部（ＣＰＵ）４が判断する。ここで、演算制御回路部（ＣＰＵ）４が、規定回数以上のＰＬ及びＰＲの計測が行われたと判断した場合は、Ｙ分岐してＳ２７へ進む。一方、演算制御回路部（ＣＰＵ）４が、規定回数以上のＰＬ及びＰＲの計測が行われていないと判断した場合は、Ｎ分岐してＳ２４へ戻る。以降、Ｓ２６において、演算制御回路部（ＣＰＵ）４が、規定回数以上のＰＬ及びＰＲの計測が行われたと判断するまで、上記Ｓ２４及びＳ２５を繰り返す。
【００８０】
Ｓ２７は、Ｓ２４乃至Ｓ２６のループで行われた複数回のＰＬ及びＰＲの計測結果から、ＰＬ及びＰＲの平均値を求めるステップである。なお、該平均値を求める計算は、演算制御回路部（ＣＰＵ）４が行う。
【００８１】
上記Ｓ２３及びＳ２７を経た後は、Ｓ２８へ進む。Ｓ２８は、上述のようにして求めたＰＬの値とＰＲの値との大小を比較するステップである。本ステップにおいては、演算制御回路部（ＣＰＵ）４が、ＰＬの値とＰＲの値とが略同じ値でなく、かつＰＬの値がＰＲの値よりも大きい値であるか否かを判定する。ここで、演算制御回路部（ＣＰＵ）４が、ＰＬの値とＰＲの値とが略同じ値でなく、かつＰＬの値がＰＲの値よりも大きい値であると判定した場合は、Ｙ分岐してＳ２９へ進む。
【００８２】
ＰＬの値がＰＲの値よりも大きい値である場合は、スクリーンに対してプロジェクタが右に傾いている。したがって、Ｓ２９では、図１４（ａ）に示すように、スクリーンに対してプロジェクタが右に傾いていることを表す表示（表示Ａ）を投影する。該投影は、演算制御回路部（ＣＰＵ）４の制御により行う。
【００８３】
なお、図１４（ａ）に示すように、スクリーンとプロジェクタとの角度を適切な投影角度にするための角度調整方向を矢印で表示するので、ユーザーは、該矢印の表示を参照してスクリーンとプロジェクタとの角度調整を行うことができる。つまり、図１４（ａ）に示す表示（表示Ａ）により、ユーザーは、スクリーンとプロジェクタとの位置関係（対向関係）を認知することができ、さらに表示されている矢印の方向にプロジェクタを回転させることで、スクリーンとプロジェクタとの位置関係（対向関係）を調整できる。
【００８４】
一方、上記Ｓ２８において、Ｎ分岐する場合はＳ３０へ進む。Ｓ３０は、上述のようにして求めたＰＬの値とＰＲの値との大小を比較するステップである。本ステップにおいては、演算制御回路部（ＣＰＵ）４が、ＰＬの値とＰＲの値とが略同じ値でなく、かつＰＬの値がＰＲの値よりも小さい値であるか否かを判定する。ここで、演算制御回路部（ＣＰＵ）４が、ＰＬの値とＰＲの値とが略同じ値でなく、かつＰＬの値がＰＲの値よりも小さい値であると判定した場合は、Ｙ分岐してＳ３１へ進む。
【００８５】
ＰＬの値がＰＲの値よりも小さい値である場合は、スクリーンに対してプロジェクタが左に傾いている。したがって、Ｓ３１では、図１４（ｂ）に示すように、スクリーンに対してプロジェクタが左に傾いていることを表す表示（表示Ｂ）を投影する。該投影は、演算制御回路部（ＣＰＵ）４の制御により行う。
【００８６】
なお、図１４（ｂ）に示すように、スクリーンとプロジェクタとの角度を適切な投影角度にするための角度調整方向を矢印で表示するので、ユーザーは、該矢印の表示を参照してスクリーンとプロジェクタとの角度調整を行うことができる。つまり、図１４（ｂ）に示す表示（表示Ｂ）により、ユーザーは、スクリーンとプロジェクタとの位置関係（対向関係）を認知することができ、さらに表示されている矢印の方向にプロジェクタを回転させることで、スクリーンとプロジェクタとの位置関係（対向関係）を調整できる。
【００８７】
また、上記Ｓ３０でＮ分岐する場合はＳ３２へ進む。この場合は、ＰＬの値とＰＲの値とに大きな差が無い場合である。すなわち、スクリーンとプロジェクタとの位置関係（対向関係）は、ほぼ適切な状態となっている。したがって、Ｓ３２においては、図１４（ｃ）に示すように、スクリーンとプロジェクタとの対向関係についての調整が不要なことを表す図を表示する（表示Ｃ）。
【００８８】
なお、上記表示Ａ、上記表示Ｂ、及び上記表示Ｃのように、プロジェクタの設置状態をスクリーンに表示するのではなく、図１５に示すようにプロジェクタ２に１対の発光ダイオードからなる発光ダイオード部（ＬＥＤ）５０を設け、該発光ダイオード部５０の点灯パターンを切り換えることにより、プロジェクタの設置状態をユーザーに認知させる構成を採っても勿論よい。この場合、例えば表示Ａを発光ダイオード部５０のうち右側の発光ダイオードの点滅と対応させ、表示Ｂを左側の発光ダイオード部５０の左側の発光ダイオードの点滅と対応させ、表示Ｃを発光ダイオード部５０の左右両方の発光ダイオードの点滅と対応させる。なお、表示Ａ、表示Ｂ、及び表示Ｃと、発光ダイオード部の点滅パターンとの対応の態様としては、上述以外の態様を採らせても勿論よい。
【００８９】
なお、上記受光素子３６と、上述したリモートコントローラ用のセンサ部とを兼用させることにより、プロジェクタ２の構成の省スペース化、及び低コスト化を図っても勿論よい。
【００９０】
また、近年活躍し始めている発光ダイオードを光源として用いるプロジェクタに対しても、本実施形態の構成の１部を以下のように変更することにより、本実施形態が適用できるようになる。本実施形態に係るプロジェクタの、可視光カットフィルタ付きレンズ３４の代わりに、特定の波長の光のみを透過させるバンドギャップフィルタを光軸上に配置させた受光レンズを用いる。これにより、発光ダイオードを光源として用いるプロジェクタであっても、プロジェクタの周囲光による影響を受けにくく、正確な光量測定を行うことができる。つまり、発光ダイオードを光源として用いるプロジェクタに対しても、本実施形態を適用できるようになる。
【００９１】
以上説明したように、本発明の第２実施形態によれば、上述した第１実施形態に係るプロジェクタに、小型かつ低コストである受光装置を付加することにより、より迅速かつ容易にセッティングできるプロジェクタを提供することができる。したがって、迅速かつ容易なセッティングを求められるモバイルプロジェクタは、本実施形態を適用することにより、非常に有用となる。
【００９２】
また、本実施形態に係るプロジェクタでは、ユーザーは、その立ち位置に関わらずに、スクリーンとプロジェクタとの対向関係を調整できるので、場所を選ばずにプロジェクタを設置できる。
【００９３】
以上、本発明の実施形態について説明したが、本発明は上述した実施形態以外にも、本発明の要旨を逸脱しない範囲で種々の変形実施が可能なことは勿論である。
【図面の簡単な説明】
【００９４】
【図１】本発明の第１実施形態に係るプロジェクタ装置の構成を示したブロック図である。
【図２】投影レンズとスクリーンとの間の距離Ｌを示す図である。
【図３】（ａ）は、スクリーンと投影レンズの光軸とが垂直に交わる位置関係で、プロジェクタ装置が設置されている場合の、該プロジェクタによる画像投影の状況を表す図である。（ｂ）は、プロジェクタ装置が（ａ）に示す設置状況であるときの、投影画像の形状を示す図である。
【図４】（ａ）は、スクリーンと投影レンズの光軸とが、垂直に交わっていない場合の投影状況を表す図である。（ｂ）は、プロジェクタ装置が（ａ）に示す設置状況であるときの、投影画像の形状を示す図である。
【図５】（ａ）は、ユーザーがプロジェクタを１人で設置する状況を示す図である。（ｂ）は、ユーザーが、スクリーンに対して正面に位置し、更にスクリーンに対して対向している状況で、プロジェクタ装置の設置位置調整を行っている状況を示す図である。（ｃ）は、ユーザーがプロジェクタ装置を設置する机の横に立ち、プロジェクタ装置の設置位置調整を行っている状況を示す図である。
【図６】（ａ）は、投影画面の四隅に、コントラストが明確に分かるような白黒のパターンを表示し、投影画面中央部に調整動作中である旨を表示した、投影画面を示す図である。（ｂ）は、投影画面中央部に、調整内容を示す表示及び調整用カラーチャートの表示を行い、同時にプロジェクタ装置への入力信号である画像データと合成した表示を行った場合の投影画面を示す図である。
【図７】本発明の第1実施形態に係るプロジェクタの動作制御を示すフローチャートである。
【図８】本発明の第２実施形態に係るプロジェクタ装置の構成を示すブロック図である。
【図９】無色透明ガラス部を設けた回動式カラーフィルタを示す図である。
【図１０】パルス光として発生した赤外光を表す模式的グラフである。
【図１１】（ａ）は、投影画面左部に白色パターンを表示させたときの投影画面の一例を示す図である。（ｂ）は、投影画面右部に白色パターンを表示させたときの投影画面の一例を示す図である。
【図１２】光量検出回路の構成を示す図である。
【図１３】本発明の第２実施形態に係るプロジェクタの動作制御を示すフローチャートである。
【図１４】（ａ）は、スクリーンに対してプロジェクタが右に傾いている場合に表示する表示Ａを投影した場合の投影画面を示す図である。（ｂ）は、スクリーンに対してプロジェクタが左に傾いている場合に表示する表示Ｂを投影した場合の投影画面を示す図である。（ｃ）は、スクリーンとプロジェクタとの位置関係（対向関係）が、ほぼ適切な状態となっている場合に表示する表示Ｃを投影した場合の投影画面を示す図である。
【図１５】プロジェクタの設置状態をユーザーに認知させるための変形例を示す図である。
【符号の説明】
【００９５】
２…プロジェクタ、  ４…演算制御回路部、  ６…スイッチ、  ８ａ…ランプ、  ８ｂ…リフレクタ、  ８…光源部、  １０…発光回路、  １２…回動式カラーフィルタ、  １４…照明光学系、  １６…画像形成手段、  １８…投影レンズ、  １８ａ…光軸、  ２０…画像合成手段、  ２２…画像形成回路、  ２４…パターン画像メモリ部、  ２６…投影画像範囲、  ２６ａ，２６ｂ…投影画像範囲、  ２８…スクリーン、  ３０…ユーザー、  ３２…机、  ３４…可視光カットフィルタ付きレンズ、  ３６…受光素子、  ３７…抵抗、  ３８…光量検出回路、  ４０…コンデンサ、  ４２…アンプ、  ４４…トランジスタ、  ４６…抵抗、  ４８…Ａ／Ｄ変換手段、  ５０…発光ダイオード部。
【図１】
2006178369.tif 000003
【図２】
2006178369.tif 000004
【図３】
2006178369.tif 000005
【図４】
2006178369.tif 000006
【図５】
2006178369.tif 000007
【図６】
2006178369.tif 000008
【図７】
2006178369.tif 000009
【図８】
2006178369.tif 000010
【図９】
2006178369.tif 000011
【図１０】
2006178369.tif 000012
【図１１】
2006178369.tif 000013
【図１２】
2006178369.tif 000014
【図１３】
2006178369.tif 000015
【図１４】
2006178369.tif 000016
【図１５】
2006178369.tif 000017